(57)【要約】【課題】  誘導加熱の利用により樹脂糸自体を棒状金属の端部に溶融固着できて十分な固着強度が容易に得られる樹脂糸の固着構造を提供することにある。【解決手段】  釣り針等の棒状金属の端部に釣り糸等の樹脂糸を巻回し該樹脂糸を溶融させることにより棒状金属の端部に樹脂糸を固着する樹脂糸の固着装置であって、樹脂糸を棒状金属の端部に所定回数巻回すると共に、該巻回部分の外側に配置された加熱コイルに高周波電流を供給して棒状金属の端部を誘導加熱することにより、巻回された樹脂糸を溶融させて棒状金属の端部に固着することを特徴とする。【選択図】  図１
2005124520.tif 000002
【特許請求の範囲】
【請求項１】
棒状金属の端部に樹脂糸を巻回し該樹脂糸を溶融させることにより棒状金属の端部に樹脂糸を固着する樹脂糸の固着装置であって、
前記樹脂糸を棒状金属の端部に所定回数巻回すると共に、該巻回部分の外側に配置された加熱コイルに高周波電流を供給して棒状金属の端部を誘導加熱することにより、巻回された樹脂糸を溶融させて棒状金属の端部に固着することを特徴とする樹脂糸の固着装置。
【請求項２】
前記棒状金属が釣り針で前記樹脂糸が釣り糸であることを特徴とする請求項１に記載の樹脂糸の固着装置。
【請求項３】
前記加熱コイル及び該加熱コイルに高周波電流を供給するトランジスタインバータが卓上型のケース内に収納配置されると共に、該ケースに釣り針及び釣り糸が着脱可能にセットされることを特徴とする請求項２に記載の樹脂糸の固着装置。
【発明の詳細な説明】
【技術分野】
【０００１】
本発明は、例えば釣り糸等の樹脂糸を釣り針等の棒状金属の端部に固着する樹脂糸の固着装置に関する。
【背景技術】
【０００２】
従来、釣り針の反針先側の端部に釣り糸を固着する方法としては、例えば特許文献１及び特許文献２に開示されている。この特許文献１及び特許文献２に開示の釣り糸は、釣り針の端部に所定回数巻回されると共に、その外側に熱収縮用チューブが嵌挿されこの熱収縮用チューブを電熱により外側から加熱して収縮させることにより、釣り糸を吊り針に固着するようにしたものである。
【特許文献１】特開平９−２８２５１号公報
【特許文献２】特開２００３−２１１５４１号公報
【発明の開示】
【発明が解決しようとする課題】
【０００３】
しかしながら、このような固着方法においては、釣り針の端部に巻回された釣り糸の外側に熱収縮用チューブを嵌挿し、この熱収縮用チューブの収縮によって釣り糸を釣り針に固着するため、巻回された釣り糸が外側から単に熱収縮用チューブの収縮力によって釣り針に押さえ付けられるのみであり、例えば海釣り用の釣り針のように固着部分に塩水等が付着する場合に、十分な固着強度を安定して得ることが難しい。
【０００４】
そのため、例えば釣り糸の巻回部分に釣り専用の接着剤を塗布する等して固着強度を高める必要があり、釣り糸の釣り針への固着作業が面倒になると共に高価な接着剤が必要となって、例えば糸付き釣り針のコストアップを招き易いという問題点を有している。また、熱収縮用チューブがドライヤー等の電熱によって収縮されるため、作業者による固着作業のバラツキが発生し易く、誰でも所定の固着強度の糸付き釣り針を容易に得ることが難しいという問題点も有している。
【０００５】
本発明は、このような事情に鑑みてなされたもので、その目的は、誘導加熱の利用により樹脂糸自体を棒状金属の端部に溶融固着できて十分な固着強度が容易に得られる樹脂糸の固着構造を提供することにある。また、他の目的は、前記目的に加え、釣り糸が十分な強度で固着された糸付き釣り針を自宅等で容易かつ安定して作成できる樹脂糸の固着装置を提供することにある。
【課題を解決するための手段】
【０００６】
かかる目的を達成すべく、本発明のうち請求項１に記載の樹脂糸の固着装置は、棒状金属の端部に樹脂糸を巻回し該樹脂糸を溶融させることにより棒状金属の端部に樹脂糸を固着する樹脂糸の固着装置であって、前記樹脂糸を棒状金属の端部に所定回数巻回すると共に、該巻回部分の外側に配置された加熱コイルに高周波電流を供給して棒状金属の端部を誘導加熱することにより、巻回された樹脂糸を溶融させて棒状金属の端部に固着することを特徴とする。
【０００７】
また、請求項２に記載の発明は、前記棒状金属が釣り針で前記樹脂糸が釣り糸であることを特徴とし、請求項３に記載の発明は、前記加熱コイル及び該加熱コイルに高周波電流を供給するトランジスタインバータが卓上型のケース内に収納配置されると共に、該ケースに釣り針及び釣り糸が着脱可能にセットされることを特徴とする。
【発明の効果】
【０００８】
先ず、請求項１に記載の発明によれば、棒状金属の端部に巻回された樹脂糸の巻回部分が、加熱コイルへの高周波電流の供給による棒状金属の誘導加熱により固着されるため、内側からの熱によって樹脂糸の外周面が溶融しつつ棒状金属の表面に固着されると共に、樹脂糸自体が互いに密着した状態で固着され、樹脂糸を十分な強度で棒状金属に固着できると共に、接着剤等が不要となってコスト的に有利な固着構造を得ることができる。
【０００９】
また、請求項２に記載の発明によれば、請求項１に記載の発明の効果に加え、釣り糸が釣り針の端部に誘導加熱によって固着されるため、十分な固着強度が得られ例えば海釣り用の糸付き釣り針を安定かつ安価に得ることができる。
【００１０】
さらに、請求項３に記載の発明によれば、請求項２に記載の発明の効果に加え、釣り糸を誘導加熱によって釣り針に固着する加熱コイルやトランジスタインバータが卓上型のケース内に収納配置されると共に、このケースに各種大きさの釣り針や釣り糸が着脱可能にセットされるため、各種大きさの釣り針に所定太さの釣り針を簡単かつ安定して固着できて、例えば釣り人が自宅で使用できる等、使い勝手に優れた固着装置を得ることができる。
【発明を実施するための最良の形態】
【００１１】
以下、本発明を実施するための最良の形態を図面に基づいて詳細に説明する。
図１〜図５は、本発明に係わる固着装置を釣り糸に適用した場合の一実施形態を示し、図１がその基本的構成図、図２がその外観を示す斜視図、図３が該固着装置を使用した釣り糸の固着方法の一例を示す工程図、図４が釣り糸の固着部分の正面図、図５が釣り針の要部正面図である。
【００１２】
図１において、固着装置１は、釣り針２の糸巻回部２ａが下方に指向する如くセットされる針セット治具４と、このセットされた釣り針２の糸巻回部２ａに巻回される所定径の釣り糸３をセットする糸セット治具５を有している。前記針セット治具４は、ケース６の上面に設けたセット孔に嵌合可能な嵌合部材４ａと、この嵌合部材４ａの上面に配設されたスポンジ等の弾性体からなる針先支持部材４ｂ等で構成され、嵌合部材４ａがケース６のセット孔に着脱可能に配置されている。また、前記糸セット治具５は、巻回ケース７に巻回された釣り糸３がセットされるマガジン８と、このマガジン８を図１の矢印イの如く上下動させたりマガシン８内の巻回ケース７を矢印ロの如く回転させると共に、マガジン８を後述する如くケース６に対して出し入れするモータ等の駆動部９で構成されている。
【００１３】
また、前記針セット治具４にセットされた釣り針２の糸巻回部２ａの外側には、トランジスタイハンバータ１１に接続された加熱コイル１０が配置されると共に、この加熱コイル１０の上部には、釣り針２の糸巻回部２ａを固定状態にロックするクランプ機構１２が配置されている。加熱コイル１０は、図示しない回動軸を中心に先端部がモータ１３の回転により回動することで、図１の矢印ハの如く移動して平面視で略円形を呈し、釣り針２の糸巻回部２ａの外周面に対して所定の間隙を有するように構成されている。また、クランプ機構１２は、例えば一対のロック部材１２ａを有し、このロック部材１２ａがモータ１４の回転で図１の矢印ニの如く移動し、その先端で釣り針２の糸巻回部２ａ上端部を挟持することにより、釣り針２をロック（クランプ）するように構成されている。
【００１４】
そして、前述したように針セット治具４がケース６の上面に配置されると共に、糸セット治具５、加熱コイル１０、トランジスタインバータ１１及びクランプ機構１２がケース６の内部に収納配置されている。また、ケース６の内部には、トランジスタインバータ１１や駆動部９及びモータ１３、１４を制御するマイコン等を有する制御装置１５が収納配置され、この制御装置１５にはＡＣ電源コード１６が接続されると共に、図２に示すように、ケース６の前面上部には、電源スイッチ１７、加熱スイッチ１８、糸セットスイッチ１９、巻回スイッチ２０、停止スイッチ２１等の各種操作スイッチと、実際の加熱温度や図示しない設定器で設定された加熱温度や加熱時間等を表示する表示器２２等を有する操作パネル２３が配置されている。さらに、ケース６の前面下部には、前記マガジン８が出し入れされる開口部６ａが設けられている。
【００１５】
次に、この固着装置１の動作を図３の工程図に基づいて説明する。先ず、マガジン８内に所定太さ（号数）の釣り糸３が収納された巻回ケース７をセットし、この巻回ケース７がセットされたマガシン８を糸セット治具５にセットする。この時、操作パネル２３に設けた糸セットスイッチ１９をオンさせることにより、駆動部９の作動で糸セット治具５がケース６内からケース６外に位置した状態となり、この状態でマカジン８内に巻回ケース７がセットされ、再び糸セットスイッチ１９をオン操作（もしくはマガジン８をケース６方向に押圧）することで、糸セット治具５がケース６内に収納されて釣り糸３が所定位置（針セット治具４の下方）にセットされる。
【００１６】
糸セット治具５が所定位置にセットされたら、所定大きさ（号数）の釣り針２をセットし得る針セット治具４をケース２のセット孔に嵌挿してセットし、この針セット治具４に釣り針２をセットする。この時、釣り針２は、その針先２ｂが針セット治具４の針先支持部材４ｂ上に軽く接触する状態とされてセットされ、この釣り針２のセットと釣り糸３のセットにより、糸・針のセット（Ｋ１０１）作業が完了する。
【００１７】
糸・針のセット作業が完了したら、操作パネル２３の巻回スイッチ２０をオン操作する。この巻回スイッチ２０がオン操作されると、先ず、モータ１３が回転してクランプ機構１２が作動し、ロック部材１２ａが前進してその先端部間で針セット治具４にセットされている釣り針２の糸巻回部２ａの上端部をクランプ（Ｋ１０２）すると共に、駆動部９の作動で糸セット治具５を釣り針２の糸巻回部２ａ位置まで上昇させ、この位置でマガシン８内の巻回ケース７から引き出されている釣り糸３の端部をクランプ（Ｋ１０３）する。
【００１８】
そして、この釣り糸３のクランプ状態で、駆動部９の作動により、マガジン８内の巻回ケース７を回転させ、釣り糸３を釣り針２の糸巻回部２ａの外周面に巻回（Ｋ１０４）する。この時、釣り糸３の端部がクランプされていることから、巻回ケース７の回転により、巻回ケース７内の釣り糸３が巻回ケース７から引き出されつつ釣り針２の糸巻回部２ａに所定回数、所定の引っ張り強度（テンション）で巻回される。釣り糸３が糸巻回部２ａに巻回されたら、糸セット治具５を下降させて糸巻回部２ａの外周面から退去させ、この状態でモータ１３を回転させることにより、加熱コイル１０を回動させて糸巻回部２ａの外周面側に所定の間隙を有してセット（Ｋ１０５）する。
【００１９】
加熱コイル１０が所定位置にセットされたら、次にこの加熱コイル１０にトランジスタインバータ１１から所定周波数の高周波電流を供給する。この加熱コイル１０への高周波電流の供給により、金属で形成された釣り針２の糸巻回部２ａに渦電流が誘起されて糸巻回部２ａが誘導加熱（Ｋ１０６）され、この誘導加熱による熱でその外周面に巻回されている釣り糸３の内側（釣り針２側）の表面が溶融し、図４に示すように、互いに接触状態の釣り糸３同士が溶着すると共に、溶融した釣り糸３が釣り針２の糸巻回部２ａの外周面に溶着する。
【００２０】
そして、加熱コイル１０に予め設定した所定時間高周波電流が供給されると、トランジスタインバータ１１から加熱コイル１０への高周波電流の供給が自動的に停止させられ、モータ１３の逆転で加熱コイル１０が待避して元位置に復帰（Ｋ１０７）する。加熱コイル１０が待避すると、糸巻回部２ａに巻回された釣り糸３の他端部側を所定長さ残して切断刃２６（図１参照）で切断すると共に、釣り糸３をアンクランプ（Ｋ１０８）して、釣り針２に固着された釣り糸３をフリーな状態とする。
【００２１】
この状態で、モータ１４の逆転でクランプ機構１２のロック部材１２ａが元位置に復帰することにより、釣り針２がアンクランプ（Ｋ１０９）され、釣り針２がその糸巻回部２ａに所定長さの釣り糸３が固着された状態で針セット治具４から取り外され（Ｋ１１０）る。これにより、図４に示すように、釣り糸３の接触部分ａが互いに融着された糸付き釣り針２が得られることになる。
【００２２】
なお、この工程図は一例であって、各工程を専用のスイッチで操作することもできるし、例えば糸セット治具５と針セット治具４に釣り糸３と釣り針２をセットし、操作パネル２３の図示しない自動スイッチをオン操作することで、各工程を完全自動的に行うように構成することもできる。
【００２３】
また、上記実施形態においては、釣り針２の糸巻回部２ａの外周面が平面である場合について説明したが、本発明はこれに限定されず、例えば図５（ａ）に示すように、糸巻回部２ａの表面に格子状の溝２４（もしくは突条）を設けたり、図５（ｂ）に示すように、糸巻回部２ａの表面に打痕等の凹部２５（もしくは凸部）をランダム（もしくは所定配列）で設け、これら溝２４や凹部２５によって釣り糸３の糸巻回部２ａに対するスリップ（滑り）を防止するようにしても良い。
【００２４】
このように、上記実施形態の固着装置１にあっては、誘導加熱を利用して樹脂製の釣り糸３を釣り針２の糸巻回部２ａに固着するため、釣り糸３の固着面側となる内面側からの熱により釣り糸３を溶融させて隣り合う釣り糸３同士を融着させると共に、釣り針２の糸巻回部２にも融着させることができて、釣り糸３の釣り針２への固着強度を十分に高めることができる。
【００２５】
また、釣り針２の糸巻回部２ａに溝２４や凹部２５等を設けるようにすれば、釣り糸３の糸巻回部２ａにおけるスリップ等を防止しつつ固着できて、固着強度を一層高めることができると共に、釣り糸３の糸巻回部２ａへの巻回時に釣り糸３に所定のテンションを加えつつ巻回することができるため、釣り糸３を密に巻回することができて、固着強度のより一層の向上を図ることが可能となる。これらにより、釣り糸３付きの釣り針２を例えば海釣り用として使用しても、塩水による釣り糸３の固着部分の解れ等が確実に防止され、所定強度の安定した糸付き釣り針３を容易かつ安価に得ることできる。
【００２６】
また、釣り針２を針セット治具４にセットすると共に、釣り糸３を糸セット治具５にセットするだけで、例えば釣り糸３を釣り針２の糸巻回部２ａに自動的に巻回固着することができると共に、各治具４、５が卓上型のケース６に配置されているため、釣り人が釣り糸３の固着作業を家庭で簡単に行うことができて、使い勝手に優れた固着装置１を得ることが可能となる。
【００２７】
さらに、針セット治具４に釣り針２の針先２ｂを弾性支持する針先支持部材４ｂが設けられているため、糸巻回時の釣り針２の針先２ｂを確実に保護することができると共に、作業の安全性を確保することもできる。また、各種太さの釣り糸３が巻回された巻回ケース７が糸セット治具５のマガジン８にセットできると共に、針セット治具４がケース６に対して着脱可能で所定号数の釣り針２をセットできるため、各種号数の釣り針２と釣り糸３を適宜に組み合わせて固着でき、これらのことから、一層使い勝手に優れた固着装置１を得ることが可能となる。
【００２８】
なお、上記実施形態においては、固着装置１を卓上型に形成した場合について説明したが、本発明はこれに限定されず、例えば糸付き釣り針２を製造する工場等における釣り糸３の固着にも適用でき、この場合は、高周波の誘導加熱の利用で、上記卓上型と同様に固着強度の向上が図れると共に固着作業の能率向上や作業環境の悪化防止等を図ることが可能となる。また、上記実施形態におけるケース６の形状や操作パネル２３の位置及びその形態、針セット治具４や糸セット治具５の構成、糸セット治具５のケース６に対する出し入れ機構等は一例であって、本発明の要旨を逸脱しない範囲において適宜に変更することができる。
【産業上の利用可能性】
【００２９】
本発明は、樹脂糸としての釣り糸と棒状金属としての釣り針の固着に限らず、適宜の樹脂糸を適宜の棒状金属に巻回固着する場合にも適用することができる。
【図面の簡単な説明】
【００３０】
【図１】本発明に係わる樹脂糸の固着装置を釣り糸に適用した場合の基本的構成図
【図２】同その外観を示す斜視図
【図３】同釣り糸の固着方法の一例を示す工程図
【図４】同釣り糸の固着部分の正面図
【図５】同釣り針の要部正面図
【符号の説明】
【００３１】
１  固着治具
２  釣り針
２ａ  糸巻回部
２ｂ  針先
３  釣り糸
４  針セット治具
４ｂ  針先支持部材
５  糸セット治具
６  ケース
７  巻回ケース
８  マガジン
９  駆動部
１０  加熱コイル
１１  トランジスタインバータ
１２  クランプ機構
１５  制御装置
２３  操作パネル
２４  溝
２５  凹部
２６  切断刃
【図１】
2005124520.tif 000003
【図２】
2005124520.tif 000004
【図３】
2005124520.tif 000005
【図４】
2005124520.tif 000006
【図５】
2005124520.tif 000007